(57)【要約】【課題】本発明は、電解液保液機能が向上した電極群及びこれを適用した２次電池を提供する。【解決手段】本発明に係る２次電池用電極群は、第１電極、第２電極、第１セパレータ、及び第２セパレータを含む。第１セパレータは、第１電極と前記第２電極との間に配置されて、第１方向に延びている第１気孔を有する。第２セパレータは、第１電極に対して第１セパレータと反対側に配置されて、第１方向と交差する第２方向に延びている第２気孔を有する。【選択図】図１
2011054555.tif 000002
【特許請求の範囲】
【請求項１】
第１電極、
第２電極、
前記第１電極と前記第２電極との間に配置されて、第１方向に延びている複数の第１気孔を有する第１セパレータ、及び
前記第１電極に対して前記第１セパレータと反対側に配置されて、前記第１方向と交差する第２方向に延びている複数の第２気孔を有する第２セパレータを含むことを特徴とする、２次電池用電極群。
【請求項２】
前記第１方向及び前記第２方向は直交することを特徴とする、請求項１に記載の２次電池用電極群。
【請求項３】
前記第１電極、前記第１セパレータ、前記第２電極、及び前記第２セパレータは、互いに積層されているか、又は巻回軸を中心に巻かれていることを特徴とする、請求項１に記載の２次電池用電極群。
【請求項４】
前記第１方向及び前記第２方向は直交することを特徴とする、請求項３に記載の２次電池用電極群。
【請求項５】
前記第１電極、前記第１セパレータ、前記第２電極、及び前記第２セパレータは、互いに積層されて巻回軸を中心に巻かれていることを特徴とする、請求項１に記載の２次電池用電極群。
【請求項６】
前記第１方向は前記巻回軸と平行であることを特徴とする、請求項５に記載の２次電池用電極群。
【請求項７】
前記第１方向及び前記第２方向は前記巻回軸に対して傾いた方向であることを特徴とする、請求項５に記載の２次電池用電極群。
【請求項８】
前記電極群は、断面が楕円または円形の円筒状であることを特徴とする、請求項５に記載の２次電池用電極群。
【請求項９】
前記複数の第１気孔及び前記複数の第２気孔は楕円形であることを特徴とする、請求項１に記載の２次電池用電極群。
【請求項１０】
前記複数の第１気孔は、前記第１方向に測定した長さが前記第１方向と直交する方向に測定した幅より長く、
前記複数の第２気孔は、前記第２方向に測定した長さが前記第２方向と直交する方向に測定した幅より長いことを特徴とする、請求項１に記載の２次電池用電極群。
【請求項１１】
前記複数の第１気孔及び前記複数の第２気孔が重畳領域において重なることを特徴とする、請求項１に記載の２次電池用電極群。
【請求項１２】
前記２次電池は電解液を含み、
前記複数の第１気孔及び前記複数の第２気孔は互いに重ならない非重畳領域を有し、
前記複数のセパレータには前記重畳領域より前記非重畳領域においてより多量の電解液が含まれていることを特徴とする、請求項１１に記載の２次電池用電極群。
【請求項１３】
複数の前記第１電極、及び
複数の前記第２電極を含み、
前記複数の第１電極は、各々の前記第１電極と隣接した前記第２電極及び前記第１セパレータまたは前記第２セパレータを介して互いに離隔して配置されることを特徴とする、請求項１に記載の２次電池用電極群。
【請求項１４】
前記複数の第１気孔は、サイズ及び形状のうちの少なくともいずれか一つが前記複数の第２気孔と異なることを特徴とする、請求項１に記載の２次電池用電極群。
【請求項１５】
開口が形成されたケース、  
前記ケース内に内蔵される電極群、及び
前記ケース内に前記電極群を密封するように前記開口を覆うキャッププレートを含み、
前記電極群は、
第１電極、  
第２電極、  
前記第１電極と前記第２電極との間に配置されて、第１方向に延びている第１気孔を有する第１セパレータ、及び
前記第１電極に対して前記第１セパレータと反対側に配置されて、前記第１方向と交差する第２方向に延びている第２気孔を有する第２セパレータを含むことを特徴とする、２次電池。
【請求項１６】
前記第１電極に電気的に接続されて、前記キャッププレートを貫通して前記ケースの内部から外側まで延長された第１端子、及び
前記第２電極に電気的に接続されて、前記キャッププレートを貫通して前記ケースの内部から外側まで延長された第２端子をさらに含むことを特徴とする、請求項１５に記載の２次電池。
【請求項１７】
前記第１方向及び前記第２方向は直交することを特徴とする、請求項１５に記載の２次電池。
【請求項１８】
前記第１電極、前記第１セパレータ、前記第２電極、及び前記第２セパレータは、互いに積層されているか、又は巻回軸を中心に巻かれていることを特徴とする、請求項１５に記載の２次電池。
【請求項１９】
前記第１方向及び前記第２方向は直交することを特徴とする、請求項１８に記載の２次電池。
【請求項２０】
前記第１電極、前記第１セパレータ、前記第２電極、及び前記第２セパレータは、互いに積層されて巻回軸を中心に巻かれていることを特徴とする、請求項１５に記載の２次電池。
【請求項２１】
前記第１方向は前記巻回軸と平行であることを特徴とする、請求項２０に記載の２次電池。
【請求項２２】
前記第１方向及び前記第２方向は前記巻回軸に対して傾いた方向であることを特徴とする、請求項２０に記載の２次電池。
【請求項２３】
前記電極群は、断面が楕円または円形の円筒状であることを特徴とする、請求項２０に記載の２次電池。
【請求項２４】
前記複数の第１気孔及び前記複数の第２気孔は楕円形であることを特徴とする、請求項１５に記載の２次電池。
【請求項２５】
前記複数の第１気孔は、前記第１方向に測定した長さが前記第１方向と直交する方向に測定した幅より長く、
前記複数の第２気孔は、前記第２方向に測定した長さが前記第２方向と直交する方向に測定した幅より長いことを特徴とする、請求項１５に記載の２次電池。
【請求項２６】
前記複数の第１気孔及び前記複数の第２気孔が重畳領域において重なることを特徴とする、請求項１５に記載の２次電池。
【請求項２７】
前記ケース内に位置する電解液を含み、
前記複数の第１気孔及び前記複数の第２気孔は互いに重ならない非重畳領域を有し、
前記複数のセパレータには前記重畳領域より前記非重畳領域においてより多量の電解液が含まれていることを特徴とする、請求項２６に記載の２次電池。
【発明の詳細な説明】
【技術分野】
【０００１】
本発明は、電極群及びこれを適用した２次電池に関するものである。
【背景技術】
【０００２】
２次電池（ｒｅｃｈａｒｇｅａｂｌｅ  ｂａｔｔｅｒｙ）は、充電が不可能な１次電池とは異なって、充電及び放電が可能な電池である。低容量の２次電池は、携帯電話機、ノートパソコン、及びカムコーダなどの携帯可能な小型電子機器に使用され、大容量の２次電池は、ハイブリッド自動車などのモータ駆動用電源として幅広く使用されている。
【０００３】
最近では、高エネルギー密度の非水電解液を利用した大容量高出力型２次電池が開発されており、前記大容量高出力型２次電池は、大電力を必要とする機器（例えば電気自動車など）のモータ駆動用に使用することができるように、複数の２次電池を直列に接続して高出力電池モジュールを構成する。
【０００４】
また、一つの大容量高出力型２次電池は、通常、直列に接続される複数の２次電池から構成され、２次電池は、円筒型、角型、パウチ型などに形成される。
【０００５】
電極群は、正極、負極、及び正極と負極との間に配置されたセパレータを含む。ここで、セパレータは、正極及び負極を分離して短絡を防止し、電池の反応に必要な電解液を吸収して、高いイオン伝導度を維持する機能をする。
【０００６】
安定した出力を維持するためには、セパレータが十分な電解液を吸収する必要がある。しかし、充電及び放電を繰り返す間に正極及び負極が膨張して、セパレータ内の電解液が外部に離脱（ｓｑｕｅｅｚｅ  ｏｕｔ）する問題が発生する。
【０００７】
このように、セパレータ内に電解液が十分に含まれていないと、イオンの移動がうまく行われずに出力が低下するだけでなく、電極群が劣化して、２次電池の寿命が短縮される問題がある。
【発明の概要】
【発明が解決しようとする課題】
【０００８】
本発明は、前記問題を解決するために案出されたものであって、本発明の目的は、電解液保液機能が向上した電極群及びこれを適用した２次電池を提供することである。
【課題を解決するための手段】
【０００９】
本発明に係る２次電池用電極群は、第１電極、第２電極、第１セパレータ、及び第２セパレータを含む。第１セパレータは、第１電極と前記第２電極との間に配置されて、第１方向に延びている複数の第１気孔を有する。第２セパレータは、第１電極に対して第１セパレータと反対側に配置されて、第１方向と交差する第２方向に延びている複数の第２気孔を有する。
【００１０】
第１方向及び前記第２方向は直交する。
【００１１】
第１電極、第１セパレータ、第２電極、及び第２セパレータは、互いに積層されているか又は巻回軸を中心に巻かれている。第１方向及び第２方向は直交する。
【００１２】
第１電極、第１セパレータ、第２電極、及び第２セパレータは、互いに積層されて巻回軸を中心に巻かれている。第１方向は巻回軸と平行である。第１方向及び第２方向は前記巻回軸に対して傾いた方向である。電極群は、断面が楕円形または円形の円筒状である。
【００１３】
複数の第１気孔及び前記複数の第２気孔は楕円形である。
【００１４】
第１気孔は、第１方向に測定した長さが第１方向と直交する方向に測定した幅より長い。第２気孔は、第２方向に測定した長さが第２方向と直交する方向に測定した幅より長い。
【００１５】
第１気孔及び第２気孔が重畳領域において重なる。
【００１６】
２次電池は電解液を含み、第１気孔及び第２気孔は互いに重ならない非重畳領域を有する。複数のセパレータは、重畳領域より前記非重畳領域においてより多量の電解液を含むことができる。
【００１７】
本発明に係る２次電池用電極群は、複数の第１電極及び、複数の第２電極を含み、複数の第１電極は、各々の第１電極と隣接した第２電極及び第１セパレータまたは第２セパレータによって互いに離隔して配置される。
【００１８】
第１気孔は、サイズ及び形状のうちの少なくともいずれか一つが前記複数の第２気孔と異なる。
【００１９】
また、本発明に係る２次電池は、開口が形成されたケース、このケース内に内蔵される電極群、及びこのケース内に電極群を密封するように開口を覆うキャッププレートを含む。前記電極群は、第１電極、第２電極、第１セパレータ、及び第２セパレータを含む。第１セパレータは、第１電極と前記第２電極との間に配置されて、第１方向に延びている第１気孔を有する。第２セパレータは、第１電極に対して第１セパレータと反対側に配置されて、第１方向と交差する第２方向に延びている第２気孔を有する。
【００２０】
２次電池は、第１電極に電気的に接続されて、キャッププレートを貫通してケースの内部から外側まで延長された第１端子、及び第２電極に電気的に接続されて、キャッププレートを貫通してケースの内部から外側まで延長された第２端子をさらに含むことができる。
【００２１】
第１方向及び第２方向は直交する。
【００２２】
第１電極、第１セパレータ、第２電極及び第２セパレータは、互いに積層されるか又は巻回軸を中心に巻かれる。前記第１方向及び前記第２方向は直交する。
【００２３】
第１電極、第１セパレータ、第２電極、及び第２セパレータは、互いに積層されて巻回軸を中心に巻かれている。第１方向は巻回軸と平行であり、第１方向及び第２方向は巻回軸に対して傾いた方向である。電極群は、断面が楕円形または円形の円筒状である。
【００２４】
複数の第１気孔及び前記複数の第２気孔は楕円形である。
【００２５】
第１気孔は、第１方向に測定した長さが第１方向と直交する方向に測定した幅より長い。第２気孔は、第２方向に測定した長さが第２方向と直交する方向に測定した幅より長い。
【００２６】
第１気孔及び第２気孔は重畳領域において重なる。２次電池は、ケース内に位置する電解液を含み、第１気孔及び第２気孔は互いに重ならない非重畳領域を有する。複数のセパレータは、前記重畳領域より前記非重畳領域においてより多量の電解液を含むことができる。
【００２７】
また、本発明に係る２次電池は、正極集電体に正極活物質が塗布された正極と、負極集電体に負極活物質が塗布された負極と、正極と負極との間に配置されて、第１方向に延びている第１気孔が形成された第１セパレータと、正極または負極に対して第１セパレータと反対側に第１セパレータと離隔して配置されて、第１方向と交差する第２方向に延びている第２気孔が形成された第２セパレータとを含む電極群、前記電極群が内蔵されるケース、及び前記電極群に電気的に接続されて、前記ケースの外側に露出された端子を含む。
【００２８】
前記第１方向及び前記第２方向は直交し、前記電極群は、前記正極、前記第１セパレータ、前記負極、前記第２セパレータを順次に積層した後で、巻回軸を中心に巻かれて形成される。
【００２９】
前記第１方向は前記巻回軸と直交する方向であってもよく、前記第１方向は前記巻回軸に対して傾いた方向であってもよい。また、前記電極群は、複数の前記正極及び前記負極が前記第１セパレータ及び／または前記第２セパレータを介して交互に積層されて形成される。
【発明の効果】
【００３０】
本発明により、第１セパレータに形成された気孔及び第２セパレータに形成された気孔の方向が互いに異なって、セパレータの電解液保液機能が向上する。それによって、安定した出力を提供することができ、寿命が向上する。
【図面の簡単な説明】
【００３１】
【図１】本発明の第１実施形態による２次電池の断面図である。
【図２】図１の２次電池を構成する電極群の分解斜視図である。
【図３】図２の電極群を示した平面図である。
【図４】本発明の第２実施形態による電極群を示した斜視図である。
【図５】本発明の第３実施形態による電極群を示した斜視図である。
【図６】本発明の第４実施形態による電極群を示した斜視図である。
【発明を実施するための形態】
【００３２】
以下、添付図面を参照して、本発明が属する技術分野において通常の知識を有する者が容易に実施できるように本発明の実施形態を詳しく説明する。しかし、本発明は多様な形態に具現され、以下で説明する実施形態に限られない。そして、本明細書及び図面において、同一な符号は同一な構成要素を示す。
【００３３】
図１は本発明の第１実施形態による２次電池の断面図であり、図２は本発明の第１実施形態による２次電池を構成する電極群の分解斜視図である。
【００３４】
図１及び図２を参照して説明すると、２次電池は、充電及び放電を行う電極群１０と、電極群１０が内蔵されるケース２０と、ケース２０を覆うキャッププレート２５とを含む。
【００３５】
ケース２０は、２次電池１００の全体的な外形を形成し、電極群１０を内蔵する空間を提供する。例えば、ケース２０は、直方体に対応する形状の電極群１０を収容するように、一側に開口が形成された直方体の角型やパウチ型に形成される。または、電極群１０だけでなく、ケース２０は、他の適切な形状に形成される。また、ケース２０は、アルミニウム、アルミニウム合金、ニッケルがメッキされたスチールなどの金属や、パウチを構成するラミネートフィルム、または他の適切な物質などで形成される。
【００３６】
キャッププレート２５は板状に構成されてケース２０と結合されて、ケース２０に形成された開口を覆って密封する。
【００３７】
電極群１０には正極端子２１及び負極端子２２が電気的に接続され、正極端子２１及び負極端子２２は、ケース２０の外側に突出される。正極端子２１は、正極無地部１１ｃに電気的に接続され、負極端子２２は、負極無地部１２ｃに電気的に接続される。
【００３８】
正極端子２１及び負極端子２２は、キャッププレート２５を貫通してケース２０の外側に突出され、正極端子２１及び負極端子２２とキャッププレート２５との間には絶縁のためのガスケット２３、２４が設置される。
【００３９】
図２に示したように、電極群１０は、正極１１、負極１２、正極１１と負極１２との間に配置されて、第１方向に延びている気孔１３ａが形成された第１セパレータ１３、及び正極１１と負極１２との間に配置されて、第１方向と交差する第２方向に延びている気孔１４ａが形成された第２セパレータ１４を含む。例えば、本実施形態において、気孔１３ａ、１４ａは、各々第１方向及び第２方向に延長されて、一般的な楕円形に形成される。または、気孔１３ａ、１４ａは、他の適切なサイズ及び／または形状に形成され、気孔１３ａ、１４ａのサイズ及び／または形状が互いに異なってもよい。
【００４０】
電極群１０は、複数の正極１１、第１セパレータ１３、負極１２、第２セパレータ１４が交互に積層された構造に構成される。本実施形態における電極群１０は、複数の正極１１及び／または複数の負極１２を含む。
【００４１】
第１セパレータ１３と第２セパレータ１４との間には正極１１または負極１２が配置され、第２セパレータ１４は、正極１１または負極１２に対して第１セパレータ１３と反対側に第１セパレータ１３と離隔して配置される。第１セパレータ１３と第２セパレータ１４との間で、正極１１と負極１２は交互に配置される。また、正極１１と負極１２との間には第１セパレータ１３または第２セパレータ１４が配置されるが、正極１１と負極１２との間に第１セパレータ１３または第２セパレータ１４が交互に配置されてもよい。
【００４２】
正極１１は、正極集電体１１ａに正極活物質層１１ｂが塗布された構造からなる。正極集電体１１ａは、四角板状に形成され、アルミニウム、ステンレススチールなどの素材からなる。正極活物質層１１ｂは、ＬｉＣｏＯ２、ＬｉＭｎＯ２、ＬｉＦｅＰＯ４、ＬｉＮｉＯ２、ＬｉＭｎ２Ｏ４、または炭素系活物質、３元系活物質などと、導電剤、バインダーなどとからなる。正極１１の上端には正極活物質層１１ｂが形成されずに集電体１１ａが露出された正極無地部１１ｃが形成される。
【００４３】
負極１２は、負極集電体１２ａに負極活物質層１２ｂが塗布された構造からなる。負極集電体１２ａは、四角板状に形成され、銅、ステンレススチール、またはアルミニウムなどの素材からなる。負極活物質層１２ｂは、Ｌｉ４Ｔｉ５Ｏ１２または炭素系活物質、導電剤、バインダーなどからなる。負極１２の上端には負極活物質層１２ｂが形成されずに集電体１２ａが露出された負極無地部１２ｃが形成される。
【００４４】
第１セパレータ１３及び第２セパレータ１４は多孔性材料からなり、ポリエチレンまたはポリプロピレンなどのポリオレフィン系の単一または複合フィルム、マニラ紙などからなってもよい。
【００４５】
第１セパレータ１３には第１方向に延びている気孔１３ａが形成され、ここで、第１方向は図２のｘ軸方向をいう。一方、第２セパレータ１４には第１方向と交差する第２方向に延びている気孔１４ａが形成され、ここで、第２方向は図２のｙ軸方向をいう。ここで、ｘ軸方向及びｙ軸方向は互いに直交する。
【００４６】
本実施形態においては、第１方向及び第２方向が直交または実質的に直交することを例示しているが、本発明がこれに限定されるのではない。従って、第１方向及び第２方向は平行でなく、斜角（ｏｂｌｉｑｕｅ  ａｎｇｌｅ）などをなして交差してもよい。
【００４７】
図３に示したように、積層された電極群１０において、第１セパレータ１３の気孔１３ａ及び第２セパレータ１４の気孔１４ａは互いに交差し、第１セパレータ１３の気孔１３ａは、第２セパレータ１４の気孔１４ａと重なる重畳部１３ａａと、第２セパレータ１４の気孔１４ａと重ならない単一部（非重畳部）１３ａｂとを含む。また、第２セパレータ１４の気孔１４ａは、第１セパレータ１３の気孔１３ａと重なる重畳部１４ａａと、第１セパレータ１３の気孔１３ａと重ならない単一部（非重畳部）１４ａｂとを含む。
【００４８】
このように第１セパレータ１３及び第２セパレータ１４の気孔１３ａ、１４ａが交差するように形成されると、気孔１３ａ、１４ａが重なる部分が減少して、気孔内に電解液が十分に含まれるようになる。
【００４９】
気孔１３ａ、１４ａが重なっていると、気孔１３ａ、１４ａを通して電解液が下へ流れ落ちる現象が発生し、時間の経過と共に電極群１０の下部では電解液密度が高くなり、電極群１０の上部では電解液密度が低くなる問題が発生する。このように電極群１０の上部の電解液密度が低くなると、電極群１０の劣化が進んで、寿命が短縮される。
【００５０】
しかし、本実施形態のように気孔１３ａ、１４ａが交差すれば、気孔１３ａ、１４ａにより多量の電解液が含まれるため、電極群１０の上部の電解液密度が低くなる現象を減少させて、電極群１０の劣化を最少化することができる。
【００５１】
また、電極群１０が膨張して第１セパレータ１３及び第２セパレータ１４に圧力が加えられる時にも、気孔１３ａ、１４ａを通して流出される電解液が従来に比べて顕著に減少される。本実施形態による電極群１０のセパレータ１３、１４に電解液が十分に含まれているため、安定した出力を提供することができて、電極群１０の劣化を防止または低減して、寿命が向上する。
【００５２】
また、セパレータ１３、１４に加えられる圧力が分散されるため、内部熱の増加によってセパレータ１３、１４が溶融して内部短絡が発生する現象が減少される。セパレータ１３、１４の溶融は熱及び圧力の上昇によって発生するが、圧力が分散されれば、セパレータの溶融が減少する。それによって、２次電池１００及び電極群１０の信頼性が向上する。
【００５３】
図４は本発明の第２実施形態による電極群を示した斜視図である。
【００５４】
図４を参照して説明すると、本実施形態による電極群４０は、正極４１、負極４２、正極４１と負極４２との間に配置された第１セパレータ４３、負極４２の外側に配置された第２セパレータ４４または第１セパレータ４３を含む。本実施形態においては、第１セパレータ４３が正極４１と負極４２との間に配置されたことを例示しているが、本発明がこれに限定されるのではなく、第２セパレータ４４が正極４１と負極４２との間に配置され、第１セパレータ４３が正極４１の外側または負極４２の外側に配置されてもよい。
【００５５】
電極群４０は、正極４１、第１セパレータ４３、負極４２、及び第２セパレータ４４が順次に配置された状態で巻回軸（Ｚ１）を中心に巻かれてゼリ−ロール状に形成される。または、これらが積層されて形成されてもよい。また、電極群４０は、巻かれた後に平らに加圧される。
【００５６】
正極４１、負極４２、第１セパレータ４３、及び第２セパレータ４４は、一方向に長く接続された帯状に構成される。正極４１の側方向一端に正極活物質が塗布されない正極無地部４１ａが形成され、負極４２の側方向他端に負極活物質が塗布されない負極無地部４２ａが形成される。
【００５７】
第１セパレータ４３には巻回軸（Ｚ１）に垂直なｙ軸方向に延びている気孔４３ａが形成され、第２セパレータ４４には巻回軸（Ｚ１）と平行なＺ軸方向に延びている気孔４４ａが形成される。
【００５８】
そのため、第１セパレータ４３に形成された気孔４３ａが延びている第１方向及び第２セパレータ４４に形成された気孔４４ａが延びている第２方向は互いに交差する。
【００５９】
図４の電極群４０においては、第１セパレータ４３に形成された気孔４３ａ及び第２セパレータ４４に形成された気孔４４ａのサイズ及び／または形状が巻回軸（Ｚ１）への巻き工程における応力（ｓｔｒｅｅｓ）または張力（ｔｅｎｓｉｏｎ）によって変形（引張）されている。気孔４３ａ及び気孔４４ａが互いに異なる方向に延在されているため、気孔４３ａ及び気孔４４ａの変形量または引張程度が異なる。従って、気孔４３ａは、サイズまたは形状が気孔４４ａと異なることもある。第２実施形態において、巻き工程中の応力または張力以外の他の理由で、第１セパレータに形成された気孔及び第２セパレータに形成された気孔の形状及び／またはサイズが異なることもある。
【００６０】
図５は本発明の第３実施形態による電極群を示した斜視図である。
【００６１】
図５を参照して説明すると、本実施形態による電極群５０は、正極５１及び負極５２、正極５１と負極５２との間に配置された第１セパレータ５３、負極５２または正極５１の外側に配置された第２セパレータ５４を含む。本実施形態においては、第１セパレータ５３が正極５１と負極５２との間に位置することを例示しているが、発明がこれに限定されるのではない。例えば、第２セパレータ５４が正極５１と負極５２との間に位置し、第１セパレータ５３が負極５２または正極５１の外側に位置してもよい。
【００６２】
電極群５０は、正極５１、第１セパレータ５３、負極５２、及び第２セパレータ５４が順次に配置された状態で巻回軸（Ｚ１）を中心にゼリロール状に形成される。また、電極群５０は、後に平らに加圧される。
【００６３】
正極５１、負極５２、第１セパレータ５３、及び第２セパレータ５４は、一方向に長く接続された帯状に構成される。正極５１の側方向一端に正極活物質が塗布されない正極無地部５１ａが形成され、負極５２の側方向他端に負極活物質が塗布されない負極無地部５２ａが形成される。
【００６４】
第１セパレータ５３には巻回軸（Ｚ１）に対して傾いており第１方向に延びている気孔５３ａが形成され、第２セパレータ５４には巻回軸（Ｚ１）に対して傾いており第２方向に延びている気孔５４ａが形成される。この時、第２方向は第１方向と反対方向に傾いて、第１方向及び第２方向は互いに交差する。また、第２方向は第１方向に対して垂直な方向であってもよい。
【００６５】
図６は本発明の第４実施形態による電極群を示した斜視図である。
【００６６】
図６を参照して説明すると、本実施形態による電極群６０は、正極６１及び負極６２、正極６１と負極６２との間に配置された第１セパレータ６３、負極６２または正極６１の外側に配置された第２セパレータ６４を含む。本実施形態においては、第１セパレータ６３が正極６１と負極６２との間に配置されたことを例示しているが、本発明がこれに限定されるのではない。例えば、第２セパレータ６４が正極６１と負極６２との間に配置され、第１セパレータ６３が負極６２または正極６１の外側に配置されてもよい。
【００６７】
電極群６０は、正極６１、第１セパレータ６３、負極６２、及び第２セパレータ６４が順次に配置された状態で巻回軸（Ｚ１）を中心に巻かれて円筒状に形成される。またはこれらが互いに積層される。
【００６８】
正極６１、負極６２、第１セパレータ６３、及び第２セパレータ６４は、一方向に長く接続された帯状に構成され、正極６１の側方向一端に正極活物質が塗布されない正極無地部６１ａが形成され、負極６２の側方向他端に負極活物質が塗布されない負極無地部６２ａが形成される。正極無地部６１ａは、正極６１における適切な端部または側面（例えば上端部、下端部、または側端部）に形成される。負極無地部６２ａも、負極６２における適切な端部または側面（例えば上端部、下端部、または側端部）に形成される。
【００６９】
第１セパレータ６３には巻回軸（Ｚ１）に垂直なｙ軸方向に延びている気孔６３ａが形成され、第２セパレータ６４には巻回軸（Ｚ１）と平行なＺ軸方向に延びている気孔６４ａが形成される。
【００７０】
そのため、第１セパレータ６３に形成された気孔６３ａが延びている第１方向と第２セパレータ６４に形成された気孔６４ａが延びている第２方向とは互いに交差する。
【００７１】
以上で、本発明の望ましい実施形態について説明したが、本発明がこれに限定されるのではなく、特許請求の範囲、発明の詳細な説明、及び添付図面の範囲内で多様に変形して実施される。
【符号の説明】
【００７２】
１００      ２次電池
１０        電極群
１１        正極
１１ａ      正極集電体
１１ｂ      正極活物質層
１１ｃ      正極無地部
１２        負極
１２ａ      負極集電体
１２ｂ      負極活物質層
１２ｃ      負極無地部
１３        第１セパレータ
１３ａ、１４ａ      気孔
１３ａａ、１４ａａ      重畳部
１３ａｂ、１４ａｂ      非重畳部
１４        第２セパレータ
２０        ケース
２１        正極端子
２２        負極端子
２５        キャッププレート
Ｚ１        巻回軸
【図１】
2011054555.tif 000003
【図２】
2011054555.tif 000004
【図３】
2011054555.tif 000005
【図４】
2011054555.tif 000006
【図５】
2011054555.tif 000007
【図６】
2011054555.tif 000008